(57)【要約】【課題】火災時に既設の枠体と新設の枠体との間を効率的に塞ぐことができ、室内外の連通を素早く確実に防止することができる防火改装サッシを提供する。【解決手段】  建物開口部に設置されている既設枠体に対して固定される新設枠体と、加熱により膨張して既設枠体と新設枠体の間の間隙を閉塞する加熱膨張材とを備え、加熱膨張材は、見込み方向の室内側端部近傍及び室外側端部近傍において既設枠体と新設枠体との間に（おいて新設枠体に）配置されており、加熱膨張材が配置される室内側端部近傍及び／又は室外側端部近傍において、新設枠体と既設枠体とが近接している。【選択図】図３
2018035547.tif 000002
【特許請求の範囲】
【請求項１】
建物開口部に設置されている既設枠体に対して固定される新設枠体と、加熱により膨張する加熱膨張材とを備え、
加熱膨張材は、見込み方向の室内側端部近傍及び室外側端部近傍おいて既設枠体と新設枠体の間の間隙を閉塞するように配置されていると共に、加熱膨張材が配置される室内側端部近傍及び／又は室外側端部近傍において、新設枠体と既設枠体とが近接しており、
近接する既設枠体と新設枠体の間の間隙は、加熱膨張材の膨張初期において閉塞することができる間隔である
ことを特徴とする防火改装サッシ。
【請求項２】
建物開口部に設置されている既設枠体に対して固定される捨て枠と、捨て枠を介して既設枠体に固定される新設枠体と、加熱により膨張する加熱膨張材とを備え、
加熱膨張材は、見込み方向の室内側端部近傍と室外側端部近傍のいずれか一方において、既設枠体と新設枠体の間の間隙を閉塞するように配置され、室内側端部近傍と室外側端部近傍のいずれか他方において、捨て枠と新設枠体の間の間隙を閉塞するように配置されていると共に、加熱膨張材が配置される室内側端部近傍及び／又は室外側端部近傍において、既設枠体と新設枠体もしくは新設枠体と捨て枠とが近接しており、
近接する既設枠体と新設枠体もしくは新設枠体と捨て枠の間の間隙は、加熱膨張材の膨張初期において閉塞することができる間隔である
ことを特徴とする防火改装サッシ。
【請求項３】
建物開口部に設置されている既設枠体に対して固定される捨て枠と、捨て枠を介して既設枠体に固定される新設枠体と、加熱により膨張する加熱膨張材とを備え、
加熱膨張材は、見込み方向の室内側端部近傍及び室外側端部近傍において捨て枠と新設枠体の間の間隙を閉塞するように配置されていると共に、加熱膨張材が配置される室内側端部近傍及び／又は室外側端部近傍において、新設枠体と捨て枠とが近接しており、
近接する新設枠体と捨て枠の間の間隙は、加熱膨張材の膨張初期において閉塞することができる間隔である
ことを特徴とする防火改装サッシ。
【発明の詳細な説明】
【技術分野】
【０００１】
本発明は、建物開口部に設置されている建具の既設枠体を取り除くことなく新設の枠体を設置して建具を改装するとともに、防火性を向上させる防火改装サッシに関する。
【背景技術】
【０００２】
建物開口部に設置されている既設サッシを改装するための改装サッシは公知となっている。（特許文献１）
この特許文献１の改装サッシは、既設の枠体の内周に新設の枠体を配置し、新設の枠体と既設の枠体との間に熱膨張性耐火材を配置することにより、火災時に膨張した熱膨張性耐火材により既設枠体と新設枠体との間を塞いで室内外の連通を防止するものである。
【先行技術文献】
【特許文献】
【０００３】
【特許文献１】特開２０１５−９４１７１号
【発明の概要】
【発明が解決しようとする課題】
【０００４】
しかし、上記特許文献１の改装サッシは、熱膨張性耐火材を単に既設の枠体と新設の枠体との間に配置しているだけであるので、熱膨張性耐火材が既設の枠体と新設の枠体との間に十分に充満することができずに隙間が生じたり、また、熱膨張性耐火材が既設の枠体と新設の枠体との間に充満するまでに時間がかかる可能性があった。
【０００５】
本発明は、上記の事情を鑑みたものであり、火災時に膨張する熱膨張耐火材を充満させる領域を工夫することにより、少ない熱膨張性耐火材によって既設の枠体と新設の枠体との間を効率的に塞ぐことができ、室内外の連通を素早く確実に防止することができる防火改装サッシを提供することを目的とする。
【課題を解決するための手段】
【０００６】
本願の請求項１に係る発明は、建物開口部に設置されている既設枠体に対して固定される新設枠体と、加熱により膨張する加熱膨張材とを備え、加熱膨張材は、見込み方向の室内側端部近傍及び室外側端部近傍おいて既設枠体と新設枠体の間の間隙を閉塞するように配置されていると共に、加熱膨張材が配置される室内側端部近傍及び／又は室外側端部近傍において、新設枠体と既設枠体とが近接しており、近接する既設枠体と新設枠体の間の間隙は、加熱膨張材の膨張初期において閉塞することができる間隔であることを特徴とする。
また、本願の請求項２に係る発明は、建物開口部に設置されている既設枠体に対して固定される捨て枠と、捨て枠を介して既設枠体に固定される新設枠体と、加熱により膨張する加熱膨張材とを備え、加熱膨張材は、見込み方向の室内側端部近傍と室外側端部近傍のいずれか一方において、既設枠体と新設枠体の間の間隙を閉塞するように配置され、室内側端部近傍と室外側端部近傍のいずれか他方において、捨て枠と新設枠体の間の間隙を閉塞するように配置されていると共に、加熱膨張材が配置される室内側端部近傍及び／又は室外側端部近傍において、既設枠体と新設枠体もしくは新設枠体と捨て枠とが近接しており、近接する既設枠体と新設枠体もしくは新設枠体と捨て枠の間の間隙は、加熱膨張材の膨張初期において閉塞することができる間隔であることを特徴とする。
また、本願の請求項３に係る発明は、建物開口部に設置されている既設枠体に対して固定される捨て枠と、捨て枠を介して既設枠体に固定される新設枠体と、加熱により膨張する加熱膨張材とを備え、加熱膨張材は、見込み方向の室内側端部近傍及び室外側端部近傍において捨て枠と新設枠体の間の間隙を閉塞するように配置されていると共に、加熱膨張材が配置される室内側端部近傍及び／又は室外側端部近傍において、新設枠体と捨て枠とが近接しており、近接する新設枠体と捨て枠の間の間隙は、加熱膨張材の膨張初期において閉塞することができる間隔であることを特徴とする。
【発明の効果】
【０００７】
本発明によれば、既設の枠体と新設の枠体との間を効率的に塞ぐことができ、室内外の連通をすばやく防ぐことができる。
【図面の簡単な説明】
【０００８】
【図１】本発明の実施形態に係る防火改装サッシの縦断面図である。
【図２】本発明の実施形態に係る防火改装サッシの横断面図である。
【図３】本発明の実施形態に係る防火改装サッシの防火機能を説明するための図であり、（ａ）は、通常時の上枠部分の縦断面図であり、（ｂ）は火災時の上枠部分の縦断面図である。
【図４】本発明の実施形態に係る防火改装サッシの防火機能を説明するための図であり、（ａ）は、通常時の下枠部分の縦断面図であり、（ｂ）は火災時の下枠部分の縦断面図である。
【図５】本発明の実施形態に係る防火改装サッシの防火機能を説明するための図であり、（ａ）は、通常時の縦枠部分の横断面図であり、（ｂ）は火災時の縦枠部分の横断面図である。
【図６】本発明の実施形態に係る防火改装サッシの捨て枠及び加熱膨張材の配置を説明するための図であり、防火改装サッシを室内側から見たときの、捨て枠及び加熱膨張材の配置状態を示す図である。
【図７】本発明の実施形態に係る防火改装サッシの捨て枠及び加熱膨張材の配置を説明するための図であり、新設枠体を省いた状態の縦断面図である。
【図８】本発明の実施形態に係る防火改装サッシの捨て枠及び加熱膨張材の配置を説明するための図であり、新設枠体を省いた状態の横断面図である。
【図９】本発明の実施形態に係る防火改装サッシの防火機能を説明するための図であり、（ａ）は、通常時の捨て枠の存在しない上枠部分の縦断面図であり、（ｂ）は火災時の捨て枠の存在しない上枠部分の縦断面図である。
【図１０】本発明の実施形態に係る防火改装サッシの防火機能を説明するための図であり、（ａ）は、通常時の捨て枠の存在しない下枠部分の縦断面図であり、（ｂ）は火災時の捨て枠の存在しない下枠部分の縦断面図である。
【図１１】本発明の実施形態に係る防火改装サッシの防火機能を説明するための図であり、（ａ）は、通常時の捨て枠の存在しない縦枠部分の横断面図であり、（ｂ）は火災時の捨て枠の存在しない縦枠部分の横断面図である。
【図１２】本発明の他の実施形態に係る防火改装サッシの防火機能を説明するための図であり、（ａ）は、通常時の縦枠部分の横断面図であり、（ｂ）は火災時の縦枠部分の横断面図である。
【図１３】本発明の他の実施形態に係る防火改装サッシの防火機能を説明するための図であり、（ａ）は、通常時の捨て枠の存在しない縦枠部分の横断面図であり、（ｂ）は火災時の捨て枠の存在しない縦枠部分の横断面図である。
【図１４】本発明の他の実施形態に係る防火改装サッシの防火機能を説明するための図であり、（ａ）（ｂ）はともに、通常時の上枠部分の縦断面図である。
【図１５】本発明の他の実施形態に係る防火改装サッシの防火機能を説明するための図であり、（ａ）（ｂ）はともに、通常時の下枠部分の縦断面図である。
【発明を実施するための形態】
【０００９】
本発明の実施形態に係る防火改装サッシについて、図面を参考にして説明する。
（全体の構成）
本発明の実施形態に係る防火改装サッシは、図１、２に示すように、建物開口部に設置されている既設枠体１の内周に捨て枠２が固定され、捨て枠２を介して新設枠体３が取り付けられており、既設枠体１にほとんど加工を施すことなく改装サッシを施工することができるものである。
【００１０】
（既設枠体）
本実施形態に係る防火改装サッシにより改装される既設枠体１は、既設上枠１１，既設下枠１２、既設左縦枠１３及び既設右縦枠１４を四周に組んでなり、既設上枠１１及び既設下枠１２には、図示しない内障子及び外障子を引違い自在に案内する上案内レール１１ｅ，１１ｆ及び下案内レール１２ｅ，１２ｆが設けられている。
【００１１】
既設枠体１の既設上枠１１は、図１に示すように、建物開口部の内周面を形成する既設上枠本体１１ａと、既設上枠本体１１ａの室内側端及び室外側端に連設される室内側壁１１ｂ及び室外側壁１１ｃと、室内側壁１１ｂの室内側面から室内側に延設される顎部１１ｄと、既設上枠本体１１ａの内周面から垂下される上案内レール１１ｅ，１１ｆとを備えている。
また、既設枠体１の既設下枠１２は、建物開口部の内周面を形成する既設下枠本体１２ａと、既設下枠本体１２ａの室内側端から立設する室内側壁１２ｂと、室内側壁１２ｂの上端から室内側に延設される顎部１２ｃとを備える。さらに、既設下枠本体１２ａの上面は室外側に向かって下方に傾斜する水切り部として形成されており、既設下枠本体１２ａの室外側端から前壁部１２ｄが下方に垂設されている。既設下枠本体１２ａの内周面（上面）には、図示しない内障子及び外障子を引違い自在に案内する下案内レール１２ｅ，１２ｆが設けられている。
【００１２】
既設枠体１の既設左縦枠１３は、図２に示すように、建物開口部の内周面を形成する既設左縦枠本体１３ａと、既設左縦枠本体１３ａの室内側に連設される室内側壁１３ｂと、室内側壁１３ｂからさらに室内側に延びる顎部１３ｃと、既設左縦枠本体１３ａの室外側に連設される室外側壁１３ｄを備えている。なお、既設右縦枠１４の構成は、既設左縦枠１３の構成と同様であるので、説明は省略する。
【００１３】
（捨て枠）
既設上枠１１の内周面に配置される上捨て枠２１は、図１に示すように、既設上枠１１の内周側に配置される見込み面部２１ａと見込み面部２１ａの室内側及び室外側から外周方向（上方）に延びる室内側係止壁部２１ｂと室外側係止壁部２１ｃとからなり、建物開口部の左右方向の見付け幅寸法以下の長さを有する長尺部材として形成されている。
そして、上捨て枠２１の見込み面部２１ａの上面を既設上枠１１の室内側壁１１ｂ及び室外側壁１１ｃの下端、及び、上案内レール１１ｅ，１１ｆの下端に内周側から当接させるとともに、室内側係止壁部２１ｂ及び室外側係止壁部２１ｃを既設上枠１１の室内側壁１１ｂ及び室外側壁１１ｃによって形成される凹所に下方より挿入して、室内側係止壁部２１ｂ及び室外側係止壁部２１ｃと室内側壁１１ｂ及び室外側壁１１ｃとをビス等の固定手段ｂ，ｂで固定することにより、上捨て枠２１が既設上枠１１に取り付けられている。
【００１４】
既設下枠１２の内周側に配置される下捨て枠２２は、既設下枠１２の下案内レール１２ｅに支持される複数個の支持部材２２１と、建物開口部の左右方向の見付け幅寸法以下の長さを有する長尺部材からなり複数個の支持部材２２１上に配置される載置面部材２２２とから形成されている。
【００１５】
既設左縦枠１３の内周面に配置される左縦捨て枠２３は、図２に示すように、既設左縦枠１３の内周側に配置される見込み面部２３ａと見込み面部２３ａの室内側及び室外側から外周方向に延びる室内側係止壁部２３ｂと室外側係止壁部２３ｃとからなり、建物開口部の上下方向の見付け幅寸法以下の長さを有する長尺部材として形成されている。
そして、左縦捨て枠２３は、見込み面部２３ａが内周側に配置するようにして室内側係止壁部２３ｂ及び室外側係止壁部２３ｃを既設左縦枠１３の室内側壁１３ｂ及び室外側壁１３ｄによって形成される凹所に内周側より挿入し、室内側係止壁部２３ｂ及び室外側係止壁部２３ｃと室内側壁１３ｂ及び室外側壁１３ｄとをビス等の固定手段ｂ，ｂで固定することにより、既設左縦枠１３に取り付けられている。
なお、縦捨て枠の構成は、基本的に左右で相違するものでなく、右側の縦捨て枠２４についての説明は省略する。
【００１６】
（新設枠体）
新設枠体３を構成する新設上枠３１は上捨て枠２１の内周側に配置され、図１に示すように、改修サッシの内周面を形成する新設上枠本体３１ａと、新設上枠本体３１ａの室内側端部に連設されて垂下される室内側壁３１ｂと、室内側壁３１ｂの上端が室内側に屈曲して形成される屈曲壁３１ｃと、新設上枠本体３１ａの見込み方向略中央位置から下方に垂設される中央垂下壁３１ｄと、新設上枠本体３１ａの室外側から下方に垂設される外案内レール３１ｅ及び網戸レール３１ｆと、を備えており、新設上枠本体３１ａの上面には、新設上枠３１の長手方向に複数延びる突条部３１ｇ，３１ｈを有している。
そして、新設上枠３１は、上捨て枠２１の見込み面部２１ａに対してスペーサ９１を介して配置されており、突条部３１ｇ，３１ｈをスペーサ９１の下面に当接させた状態で上捨て枠２１に対してスペーサ９１とともにビス等の固定手段ｂにより共締めして固定されている。
【００１７】
新設上枠３１の屈曲壁３１ｃの室内側端は既設上枠１１の室内側壁１１ｂの室内側面と見込み方向でほぼ面一に配置されており、屈曲壁３１ｃの下面から室内側端及び既設上枠１１の室内側壁１１ｂの室内側面に亘って気密テープ８１によって被覆されている。
また、新設上枠３１の新設上枠本体３１ａの室外側は、既設上枠１１の室外側壁１１ｃの室外側面よりも室外側に突出しており、新設上枠本体３１ａの室外側端部上面には、難燃性の材料よりなるヒレ状部材７１が取り付けられている。ヒレ状部材に用いられる難燃性の材料としては、例えば複合防火ＰＶＣ、難燃シリコン、クロロプレンゴム等が用いられる。ヒレ状部材７１は、新設上枠本体３１ａに固定される固定部７１ａと固定部７１ａから突出するヒレ片７１ｂとからなり、ヒレ片７１ｂが既設上枠１１の室外側面に当接することで外部からの雨水等の侵入を防いでいる。
【００１８】
新設枠体３を構成する新設下枠３２は、図１に示すように、室外側が低く室内側が高く階段状に形成され、既設下枠１２の上方に配置されて改修サッシの内周面を形成する新設下枠本体３２ａと、新設下枠本体３２ａの室内側端に連設される室内側壁３２ｂと、新設下枠本体３２ａの室外側より垂下される前壁部３２ｃと、新設下枠本体３２ａの上面より上方に突出する内レール３２ｄ及び外レール３２ｅと、前壁部３２ｃの室外側面より突出する網戸下レール３２ｆと、階段状に形成された新設下枠本体３２ａの上段部より室外側に向かって突出する気密材保持壁３２ｇと、を備えている。
新設下枠３２が施工されるに際しては、既設下枠１２の下案内レール１２ｆが切除され、新設下枠３２は、室外側が下案内レール１２ｆが切除された既設下枠１２の上面に載置されると共に、室内側が下捨て枠２２の上面に支持されることで、既設下枠１２の内周（上方）位置に配置されて施工される。施工された新設下枠３２の室内側壁３２ｂと既設下枠１２の室内側壁１２ｂとは狭い間隔をあけて対向しており、新設下枠３２の室内側壁３２ｂから顎部１２ｃの上面に亘って気密テープ８２によって被覆されている。
さらに、気密テープ８２を覆うように、既設下枠１２の顎部１２ｃの上面にはアルミ合金製の顎部材４２がビス等の固定手段ｂによって建物開口部に固定されている。
【００１９】
新設枠体３を構成する新設左縦枠３３は左側の左縦捨て枠２３の内周側に配置され、図２に示すように、改修サッシの内周面を形成する新設左縦枠本体３３ａと、新設左縦枠本体３３ａの室内側より内周方向に延設される室内側壁３３ｂと、室内側壁３３ｂよりさらに室内側に延設される室内側見込み壁３３ｃと、新設左縦枠本体３３ａの室外側端より内周方向に延設される室外側壁３３ｄと、新設左縦枠本体３３ａの内周面の見込み方向略中央位置より内周方向に延設される中央壁３３ｅと、を備えており、新設左縦枠本体３３ａの外周面には、新設左縦枠３３の長手方向に複数延びる突条部３３ｆ，３３ｇを有している。
そして、新設左縦枠３３は、左縦捨て枠２３の見込み面部２３ａに対してスペーサ９３を介して配置されており、突条部３３ｆ，３３ｇをスペーサ９３の内周面に当接させた状態で左縦捨て枠２３に対してスペーサ９３とともにビス等の固定手段ｂにより共締めして固定されている。
【００２０】
新設左縦枠３３の室内側見込み壁３３ｃの室内側端面は既設左縦枠１３の室内側壁１３ｂの室内側面と見込み方向でほぼ面一に配置され、室内側見込み壁３３ｃの内周面から室内側端面、及び既設左縦枠１３の室内側壁１３ｂの室内側面に亘って気密テープ８３により被覆されている。
また、新設左縦枠３３の新設左縦枠本体３３ａの室外側は、既設左縦枠１３の室外側壁１３ｄの室外側面よりも室外側に突出しており、新設左縦枠本体３３ａの室外側端部外周面には、難燃性の材料よりなるヒレ状部材７３が取り付けられている。ヒレ状部材７３は、新設左縦枠３３に固定される固定部７３ａと固定部７３ａから突出するヒレ片７３ｂとからなり、ヒレ片７３ｂが既設左縦枠１３の室外側面に当接することで外部からの雨水等の侵入を防いでいる。
なお、左右の新設縦枠３３，３４の構成は、基本的に左右で相違するものでなく、新設右縦枠３４についての説明は省略する。
【００２１】
（防火構造）
本発明の上記本実施形態に係る防火改装サッシは、火災時に既設枠体１と新設枠体３との間の間隙からの煙や炎の侵入を防止するための防火構造を備えている。
以下に、本実施形態に係る防火改装サッシの防火構造について、図３乃至５を参考にして説明する。
【００２２】
（捨て枠が存在する上枠部分の防火構造）
上枠部分においては、図３（ａ）に示すように、新設上枠３１は上捨て枠２１を介して既設上枠１１に取り付けられており、既設上枠１１と新設枠体３の間に形成される間隙は、既設上枠１１の内周面に配置される上捨て枠２１により、上捨て枠２１が存在する領域において上捨て枠２１の上方の上間隙ｓ１１と同下方の下間隙ｓ１２とに分断されている。
そして、上捨て枠２１の配置に際しては、上捨て枠２１の見込み面部２１ａの上面が既設上枠１１の室内側壁１１ｂ及び室外側壁１１ｃの下端に当接していることから、既設上枠１１と上捨て枠２１との間の上間隙ｓ１１には室内外を連通する隙間が生じる危険性が少ない。そこで、加熱膨張材は、上捨て枠２１と新設上枠３１との間の下間隙ｓ１２を閉塞するように配置されており、下間隙ｓ１２の室内側端部近傍については、新設上枠３１の屈曲壁３１ｃの上面に加熱膨張材５１が配置され、同室外側端部近傍については、新設上枠３１の新設上枠本体３１ａの既設上枠１１（上捨て枠２１）よりも室外側に突出した部位の上面に加熱膨張材５２が配置され、いずれも新設上枠３１の全長に亘って配置されている。
【００２３】
室内側の加熱膨張材５１が配置される新設上枠３１の屈曲壁３１ｃは上捨て枠２１と対向しており、屈曲壁３１ｃは新設上枠本体３１ａに比べて上方位置に形成されている。そのため、屈曲壁３１ｃの上面は上捨て枠２１の見込み面部２１ａの下面に近接し、新設上枠３１の屈曲壁３１ｃの上面と上捨て枠２１の見込み面部２１ａとの間には、下間隙ｓ１２の他の部分に比較して上下方向に狭い空間として間隙ｓ１３が形成されている。
また、新設上枠本体３１ａの室外側に突出した部位の上面に配置された加熱膨張材５２は、新設上枠３１に固定されたヒレ状部材７１の固定部７１ａの近傍位置に配置され、加熱膨張材５２の上方にはヒレ状部材７１のヒレ片７１ｂが配置されることで、加熱膨張材５２の上方位置には新設上枠３１と既設上枠１１とヒレ状部材７１とによって室外側が狭く室内側が広い間隙ｓ１４が形成されている。
【００２４】
そして、火災が発生した際には、図３（ｂ）に示すように、室内側に配置した加熱膨張材５１は、加熱により屈曲壁３１ｃの上方に形成される比較的上下方向に狭い空間である間隙ｓ１３内に向かって膨張し、膨張初期において上捨て枠２１の見込み面部２１ａに到達することができ、見込み方向の室内側端近傍における上捨て枠２１と新設上枠３１の間の間隙ｓ１３をすばやく閉塞することができる。
ここで、膨張初期とは、加熱膨張材が加熱され膨張が始まってから早い段階であることを意味し、例えば加熱膨張材が完全に膨張した時の体積の１／３以下程度の体積に膨張するまでのことをいう。
また、室外側に配置した加熱膨張材５２は、加熱により上方に配置されるヒレ状部材７１に向かって膨張するが、難燃性の材料によりなるヒレ状部材７１は加熱膨張材５２が膨張する間は燃え尽きることなく形状を維持し、加熱膨張材５２が飛散することを抑制することができるので、加熱膨張材５２は既設上枠１１と新設上枠３１とヒレ状部材７１とにより形成される間隙ｓ１４に密に膨張し、さらに見込み方向の室外側端近傍における上捨て枠２１と新設上枠３１の間の間隙をすばやく閉塞することができる。
なお、室外側において、新設上枠３１の新設上枠本体３１ａに上方に隆起して上捨て枠２１の見込み面部２１ａに近接する隆起部を形成して、隆起部の上面に加熱膨張材を配置することで、加熱膨張材の膨張初期において上捨て枠２１と新設上枠３１の間の間隙を閉塞するように構成してもよい。
【００２５】
以上、本実施形態の防火改装サッシの上枠部分のように、既設枠体に対して室内外に亘って捨て枠が配置される場合などには、加熱膨張材は、見込み方向の室内側端部近傍における捨て枠と新設枠体の間の間隙、及び、室外側端部近傍における捨て枠と新設枠体の間の間隙を閉塞するように配置されることで、防火改装サッシの室内外の連通を防止することができる。
【００２６】
（捨て枠が存在する下枠部分の防火構造）
下枠部分においては、図４（ａ）に示すように、既設下枠１２の室内側部分のみに下捨て枠２２が配置されており、新設下枠３２が下捨て枠２２に支持されている室内側端部近傍においては、下捨て枠２２と対向する新設下枠３２の室内側壁３２ｂの室内側面に加熱膨張材５３が配置され、新設下枠３２が既設下枠１２の上面に配置される室外側端部近傍においては、既設下枠１２の前壁部１２ｄと対向する新設下枠３２の前壁部３２ｃの室内側面に加熱膨張材５４が配置され、いずれも新設下枠３２の全長に亘って配置されている。
【００２７】
そして、室内側の加熱膨張材５３が配置される室内側壁３２ｂは、下捨て枠２２の載置面部材２２２に近接した状態で対向しており、新設下枠３２の室内側壁３２ｂと下捨て枠２２の載置面部材２２２とで形成される間隙ｓ２１は見込み方向に狭い空間として形成されている。
また、室外側の加熱膨張材５４が配置される新設下枠３２の前壁部３２ｃは、既設下枠１２の前壁部１２ｄに近接した状態で対向しており、新設下枠３２の前壁部３２ｃと既設下枠１２の前壁部１２ｄとで形成される間隙ｓ２２は見込み方向に狭い空間として形成されている。
【００２８】
そして、火災が発生した際には、図４（ｂ）に示すように、室内側に配置した加熱膨張材５３は、加熱により下捨て枠２２の載置面部材２２２に向かって膨張し、膨張初期において既設下枠１２の室内側壁１２ｂの室内側に配置された載置面部材２２２に到達して、狭い空間である間隙ｓ２１に充満することができる。そして、間隙ｓ２１を覆う気密テープ８２を難燃性の材料によって形成することにより、新設下枠３２の室内側壁３２ｂと既設下枠１２の室内側壁１２ｂとで形成される間隙ｓ２１内で膨張した加熱膨張材５３が飛散して室内側に漏れ出すことを抑制することができ、既設下枠１２と新設下枠３２との間隙ｓ２の室内側の間隙ｓ２１に密に膨張して、より確実に閉塞することができる。
また、室外側に配置した加熱膨張材５４は、加熱により既設下枠１２の前壁部１２ｄに向かって膨張し、膨張初期において既設下枠１２の前壁部１２ｄに到達し、新設下枠３２の前壁部３２ｃと既設下枠１２の前壁部１２ｄとで形成される狭い空間である間隙ｓ２２内に充満するので、新設下枠３２と既設下枠１２との間隙ｓ２の室外側をすばやく確実に閉塞することができる。
【００２９】
以上、本実施形態の防火改装サッシの下枠部分のように、既設枠体に対して室内側もしくは室外側に部分的に捨て枠が配置される場合などには、加熱膨張材は、見込み方向の捨て枠が配置される側の端部近傍における捨て枠と新設枠体の間の間隙、及び、同捨て枠が配置されない側の端部近傍における既設枠体と新設枠体の間の間隙を閉塞するように配置されることで、防火改装サッシの室内外の連通を防止することができる。
【００３０】
（捨て枠が存在する縦枠部分の防火構造）
縦枠部分においては、図５（ａ）に示すように、既設左縦枠１３の内周面に左縦捨て枠２３が配置され、新設左縦枠３３は、既設左縦枠１３及び左縦捨て枠２３に対して近接するように配置されており、既設左縦枠１３と新設左縦枠３３の間に形成される間隙は、左縦捨て枠２３が存在する領域において左縦捨て枠２３の外周側の外間隙ｓ３１と同内周側の内間隙ｓ３２に分断されている。
そして、左縦捨て枠２３の配置に際しては、上捨て枠２１の配置とは異なり、見込み面部２３ａの外周面が既設左縦枠１３の室内側壁１３ｂ及び室外側壁１３ｄの内周端に当接していないことから、左縦捨て枠２３と新設左縦枠３３との間の内間隙ｓ３２だけでなく、既設左縦枠１３と左縦捨て枠２３との間の外間隙ｓ３１にも、室内外に連通する隙間が生じる可能性がある。
そこで、縦枠部分の室内側端部近傍については、左縦捨て枠２３と既設左縦枠１３が当接する部分に対向するように、新設左縦枠３３の室内側見込み壁３３ｃの外周面に加熱膨張材５５が新設左縦枠３３の全長に亘って配置されており、新設左縦枠３３の室内側見込み壁３３ｃの内周側面から既設左縦枠１３の室内側面に亘って気密テープ８３が設けられている。
【００３１】
また、同室外側端部近傍については、新設左縦枠３３の新設左縦枠本体３３ａの既設左縦枠１３（左縦捨て枠２３）よりも室外側に突出した部位の外周面に加熱膨張材５６が配置され、新設左縦枠３３の全長に亘って配置されている。
新設左縦枠本体３３ａの室外側に配置される加熱膨張材５６は、ヒレ状部材７３の固定部７３ａの近傍位置に配置され、加熱膨張材５６の外周にはヒレ状部材７３のヒレ片７３ｂが配置されることで、加熱膨張材５６の外周位置には新設左縦枠３３と既設左縦枠１３とヒレ状部材７３とによって室外側が狭く室内側が広い空間ｓ３４が形成されている。
【００３２】
そして、火災が発生した際には、図５（ｂ）に示すように、室内側に配置した加熱膨張材５５は、加熱により既設左縦枠１３の室内側壁１３ｂと左縦捨て枠２３の室内側係止壁部２３ｂとの当接部位に向かって膨張し、膨張初期において既設左縦枠１３と左縦捨て枠２３に到達し、縦枠部分において、左縦捨て枠２３と新設左縦枠３３との間の間隙の室内側だけでなく、既設左縦枠１３と新設左縦枠３３との間の間隙、及び既設左縦枠１３と左縦捨て枠２３との間の間隙を塞ぐことができる。
このとき、新設左縦枠３３の室内側見込み壁３３ｃの内周側面から既設左縦枠１３の室内側面に亘って設けられる気密テープ８３を難燃性の材料により形成することにより、膨張した加熱膨張材５５が室内側に飛散することを抑制することができ、縦枠部分の室内側に密に充満して、外間隙ｓ３１と内間隙ｓ３２の両方において室内外の連通をさらに確実に防ぐことができる。
【００３３】
また、室外側に配置した加熱膨張材５６は、加熱により外周に配置されるヒレ状部材７３に向かって膨張するが、難燃性の材料によりなるヒレ状部材７３は加熱膨張材５６が膨張する間は燃え尽きることなく形状を維持し、加熱膨張材５６が飛散することを抑制することができるので加熱膨張材５６は既設左縦枠１３と新設左縦枠３３とヒレ状部材７３とにより形成される空間ｓ３４に密に膨張し、さらに見込み方向の室外側端近傍における新設左縦枠３３と、左縦捨て枠２３及び既設左縦枠１３との当接部位を覆うように膨張し、左縦捨て枠２３と新設左縦枠３３との間の内間隙３２の室外側だけでなく、既設左縦枠１３と左縦捨て枠２３との間の外間隙ｓ３２の室外側を塞ぐことができる。
なお、室外側において、新設左縦枠３３の新設左縦枠本体３３ａの既設左縦枠１３の室外側壁１３ｃと左縦捨て枠２３の室外側係止壁部２３ｃとの当接部位と対向する場所に加熱膨張材を配置することで、室外側においても加熱膨張材の膨張初期において左縦捨て枠２３と新設左縦枠３３との間の間隙、既設左縦枠１３と新設左縦枠３３との間の間隙、及び既設左縦枠１３と左縦捨て枠２３との間の間隙を閉塞するように構成してもよい。
【００３４】
以上、本実施形態の防火改装サッシの縦枠部分のように、既設枠体に対して室内外に亘って捨て枠が配置される場合であって、既設枠体と捨て枠との間が十分な気密を保てない場合などには、加熱膨張材は、見込み方向の室内側端部近傍及び室外側端部近傍において、新設枠体に配置された加熱膨張体は、捨て枠と既設枠体との当接部分に向かって膨張するように配置することで、新設枠体と捨て枠及び既設枠体との間の間隙を閉塞することができ、防火改装サッシの室内外の連通を防止することができる。
【００３５】
（捨て枠が存在しない部分）
以上の実施形態に示すように、既設枠体１に対して捨て枠２を介して新設枠体３を設置する防火改装サッシに対して、既設枠体１と捨て枠２と新設枠体３との間に生じる隙間に効率的に膨張して充満する加熱膨張材を設けることで、有効な防火構造を備えることができる。
そして、本実施形態に係る防火改装サッシは、捨て枠は建具の左右方向及び上下方向の全長に亘って配置されるものではないことから、捨て枠の存在しない四隅部が存在するが、該捨て枠の存在しない四隅部において、さらなる防火構造を備えている。以下に図６乃至１１を参考に説明する。
【００３６】
本実施形態に係る防火改装サッシは、上捨て枠２１，下捨て枠２２及び左右の縦捨て枠２３，２４は、建具の左右方向及び上下方向の全長に亘って配置されるものではなく、図６に示すように、その角部に捨て枠２が配置されない領域が存在する。
そこで、本実施形態の防火改装サッシの捨て枠２が配置されない領域には、前述の加熱膨張材５１乃至５６に加え、捨て枠２の長さ方向の両側に加熱膨張材６１乃至６８を配置することにより、該領域における火炎や煙の侵入を抑制している。
【００３７】
（捨て枠の存在しない上枠部分の防火構造）
上捨て枠２１の左右両側に配置される加熱膨張材６１，６２は、図７，８に示すように、既設上枠１１の室内側壁１１ｂの室外側面に配置されており、上捨て枠２１の両端部位置から既設上枠１１の両端部に亘って設けられている。
そのため、図９（ａ）に示すように、上枠部分の上捨て枠２１が存在しない領域において、既設上枠１１と新設上枠３１との間に形成される間隙ｓ１には、前述の室内側の加熱膨張材５１及び室外側の加熱膨張材５２と、既設上枠１１の室内側壁１１ｂの室外側面に配置される加熱膨張材６１，６２とによって防火構造が形成されている。
【００３８】
そして、火災が発生した際には、図９（ｂ）に示すように、室内側の加熱膨張材５１と既設上枠１１の室内側壁１１ｂの室外側面に配置される加熱膨張材６１，６２とが膨張して一体化することにより、既設上枠１１の上案内レール１１ｅの室内側に形成される間隙に加熱膨張材５１，６１，６２が十分に充満して、既設上枠１１と新設上枠３１との間に形成される間隙ｓ５の室内側を閉塞することができる。
また、室外側に配置した加熱膨張材５２は、前述のように、既設上枠１１と新設上枠３１とヒレ状部材７１とにより形成される間隙ｓ１４に密に膨張して、既設上枠１１と新設上枠３１との間に形成される間隙ｓ１の室外側を閉塞することができる。
なお、上記実施形態においては、加熱膨張材６１，６２は、既設上枠１１の室内側壁１１ｂに配置されているが、既設上枠１１の室外側壁１１ｃの室内側面に配置してもよい。
【００３９】
（捨て枠の存在しない下枠部分の防火構造）
下捨て枠２２の左右両側に配置される加熱膨張材６３，６４は、図７，８に示すように、既設下枠１２の室内側壁１２ｂの室外側面に配置されており、下捨て枠２２の載置面部材２２２の両端部位置から既設下枠１２の両端部に亘って設けられている。
そのため、図１０（ａ）に示すように、下枠部分の下捨て枠２２が存在しない領域において、既設下枠１２と新設下枠３２との間に形成される間隙ｓ２には、前述の室内側の加熱膨張材５３及び室外側の加熱膨張材５４と、既設下枠１２の室内側壁１２ｂの室外側面に配置される加熱膨張材６３，６４とによって防火構造が形成されている。
【００４０】
そして、火災が発生した際には、図１０（ｂ）に示すように、既設下枠１２の室内側壁１２ｂに近接する新設下枠３２の室内側壁３２ｂの室内側に配置された加熱膨張材５３が、膨張初期において既設下枠１２の室内側壁１２ｂに到達し、既設下枠１２と新設下枠３２の間の狭い空間である間隙ｓ２１内で密に膨張し、さらに、既設下枠１２の室内側壁１２ｂの室外側面に配置される加熱膨張材６３，６４が膨張して一体化することにより、間隙ｓ２１に膨張した加熱膨張材５３が下方に落下することを抑制することができ、既設下枠１２と新設下枠３２との間に形成される間隙ｓ２の室内側をすばやく閉塞することができる。
また、既設下枠１２の前壁部１２ｄの室外側面に近接する新設下枠３２の前壁部３２ｃの室内側に配置された加熱膨張材５４が、膨張初期において既設下枠１２の前壁部１２ｄに到達し、新設下枠３２と既設下枠１２との間の狭い空間である間隙ｓ２２内に密に膨張するので、新設下枠３２と既設下枠１２との間隙ｓ２の室外側をすばやく確実に閉塞することができる。
このように、防火改修サッシの下枠部分については、捨て枠が介在しない場合において、室内側端部近傍及び室外側端部近傍において新設下枠を既設下枠に近接させて配置して、新設下枠と既設下枠との間の空間を狭い間隙に形成するとともに、該狭い間隙に形成した室内側部分及び室外側部分を閉塞するように加熱膨張材を配置することにより、室内外のいずれの側の火災に対してもすばやく対応することができ、また、少ない加熱膨張材により室内外の連通を防止することができる。
【００４１】
（捨て枠の存在しない左縦枠部分の防火構造）
左縦捨て枠２３の上下両側に配置される加熱膨張材６５，６６は、図７，８に示すように、既設左縦枠１３の室内側壁１３ｂの室外側面に配置されており、左縦捨て枠２３の上下端部位置から既設左縦枠１３の両端部に亘って設けられている。
そのため、図１１（ａ）に示すように、縦枠部分の左縦捨て枠２３が存在しない領域において、既設左縦枠１３と新設左縦枠３３との間に形成される間隙ｓ３には、前述の室内側の加熱膨張材５５及び室外側の加熱膨張材５６と、既設左縦枠１３の室内側壁１３ｂの室外側面に配置される加熱膨張材６５，６６とによって防火構造が形成されている。
【００４２】
そして、火災が発生した際には、図１１（ｂ）に示すように、室内側の加熱膨張材５５が外周に向けて膨張するとともに、既設左縦枠１３の室内側壁１３ｂの室外側面に配置される加熱膨張材６５，６６が室外側に向けて膨張し、両者が一体化することにより、既設左縦枠１３と新設左縦枠３３との間に形成される間隙ｓ３の室内側を閉塞することができる。
また、室外側に配置した加熱膨張材５６は、前述のように、既設左縦枠１３と新設左縦枠３３とヒレ状部材７３とにより形成される空間ｓ３４に密に膨張して、既設左縦枠１３と新設左縦枠３３との間に形成される間隙ｓ３の室外側を閉塞することができる。
なお、上記実施形態においては、加熱膨張材６５，６６は、既設左縦枠１３の室内側壁１３ｂに配置されているが、既設左縦枠１３の室外側壁１３ｄの室内側面に配置してもよく、また、既設左縦枠本体１３ａに配置してもよい。
【００４３】
このように、本実施形態に係る防火改修サッシの縦枠部分の捨て枠が介在しない領域においても、既設枠体と新設枠体との間の間隙の室内側部分及び室外側部分を閉塞するように加熱膨張材が配置されており、室内側いずれの側の火災に対してもすばやく対応することができ、また、少ない加熱膨張材により室内外の連通を防止することができる。
【００４４】
（他の実施形態１）
本発明の他の実施形態を図１２乃至１５を参考にして説明する。
例えば、図１２（ａ）に示すように、見込み方向に幅の広い既設縦枠１３，１４を備える防火改装サッシの場合には、既設縦枠１３に近接する新設左縦枠３３の室内側見込み壁３３ｃの外周面に設けられる室内側の加熱膨張材５５は、左縦捨て枠２３の内周面に対向させるとともに、新設左縦枠３３の室内側見込み壁３３ｃの内周側面から左縦捨て枠２３の外周面及び既設左縦枠１３の室内側面に亘って気密テープ８３を設けることにより、室内側の防火構造を形成することができる。
そして、火災が発生した際には、図１２（ｂ）に示すように、室内側の加熱膨張材５５が外周に向けて膨張することにより左縦捨て枠２３と新設左縦枠３３との比較的狭い隙間ｓ３３に充満して、縦枠部分における室内側の内間隙ｓ３２を閉塞して、室内外の連通をすばやく防止することができる。
【００４５】
また、左縦捨て枠２３が存在しない両端の領域においては、先の実施形態と同様に、図１３（ａ）に示すように、室内側の加熱膨張材５５に加えて、既設左縦枠１３の室内側壁１３ｂの室外側面に加熱膨張材６５，６６が配置されている。
そして、火災が発生した際には、図１３（ｂ）に示すように、新設左縦枠３３の室内側見込み壁３３ｃの外周面に設けられた加熱膨張材５５が外周側に向かって膨張し、既設左縦枠１３の室内側壁１３ｂの室外側面に設けられた加熱膨張材６５，６６が室外側に向かって膨張して、両者が一体化することで、新設左縦枠３３と既設左縦枠１３の間の間隙ｓ３の室内側を閉塞することができる。
【００４６】
上記の左縦捨て枠２３が存在する領域においても、また、存在しない領域においても、新設左縦枠３３と既設左縦枠１３との間に亘って設けた気密テープ８３を難燃性の材料により形成することで、気密テープ８３により加熱膨張材の室内側への飛散が抑制されて、縦枠部分の間隙ｓ３の室内側をより密に充満することができる。
なお、室外側の防火構造については、先の実施形態と同様であるので、ここではその説明は省略する。
【００４７】
（他の実施形態２）
また、上枠部分の防火構造において、図１４（ａ）に示すように、新設上枠３１の屈曲壁３１ｃの上面に加熱膨張材５１を配置するポケット部３１ｉを設けてもよく、図１４（ｂ）に示すように、新設上枠３１の新設上枠本体３１ａの室内側上面に加熱膨張材５１を配置するポケット部３１ｉを設けて加熱膨張材５１を配置してもよい。ポケット部３１ｉを設けることにより、加熱膨張材５１が脱落することが防止できる。
さらに、下枠部分の防火構造において、図１５（ａ）に示すように、室外側の加熱膨張材５４を新設下枠３２の前壁部３２ｃの室内側面に設けるのではなく、既設下枠１２に近接する新設下枠３２の新設下枠本体３２ａの室外側下面に配置してもよい。
そして、本発明の防火改装サッシにより施工される新設枠体３は、階段状の下枠を備えるものに限定されるものではなく、例えば図１５（ｂ）に示すように、室外側の外レールの高さが室内側の内レールの高さよりも高い形式の改装サッシとして構成されてもいい。そのような場合には、下捨て枠２２は、内外レールの上面に配置される見込み方向に幅の広い下捨て枠２２を用いることが好ましい。
【００４８】
以上のように、本実施形態に係る防火改装サッシにおいては、見込み方向の室内側端部近傍及び室外側端部近傍において、既設枠体と新設枠体との間、もしくは、捨て枠と新設枠体との間に加熱膨張材が配置されているので、室内側に配置した加熱膨張材及び室外側に配置した加熱膨張材がいずれも見込み方向の外方部分（室内側端部及び室外側端部）に配置されていることから、火災が発生した際には、室内外のいずれに発生した火災に対しても火災の初期の段階でいずれかの加熱膨張材が加熱されて膨張させることができるので、火災の早期に既設枠体と新設枠体との間隙を閉塞することができ、間隙に配置される樹脂製のスペーサー等が加熱されることによって生じる有害なガスの漏れを防ぎ、スペーサ等への引火や延焼を防止することができる。
また、いずれの加熱膨張材も新設枠体に配置されることにより、比較的火炎の接触しやすい新設枠体に伝わる熱により早期に加熱膨張材を膨張させることができる。
さらに、新設枠体の加熱膨張体を配置した室内側端部近傍及び／又は室外側端部近傍において、既設枠体と新設枠体、もしくは捨て枠と新設枠体とを近接させることで、既設枠体と新設枠体、もしくは捨て枠と新設枠体の間の間隙を比較的狭い空間として形成し、加熱膨張材の膨張初期に前記間隙を閉塞することができるので、素早い閉塞をすることができ、また、間隙を充満させるための加熱膨張材の量が少なくて済み、効率的に充満させることができる。
【００４９】
なお、新設枠体と既設枠体、もしくは、新設枠体と捨て枠との間に加熱膨張材を配置するための構成は、上記実施形態の構成に限定されるものではなく、例えば、捨て枠が存在する領域においても、室内側端部近傍及び室外側端部近傍の既設枠体と新設枠体との間に加熱膨張材を配置するようにしてもよく、また、実施形態において下枠部分に採用されている防火構造を、上枠や縦枠に採用しても良い。即ち、見込み方向の室内側端部近傍及び室外側端部近傍において、新設枠体と既設枠体、もしくは、新設枠体と捨て枠との間に加熱膨張材が配置されていればよい。
【符号の説明】
【００５０】
１      ：既設枠体
１１    ：既設上枠
１１ａ  ：既設上枠本体
１１ｂ  ：室内側壁
１１ｃ  ：室外側壁
１１ｄ  ：顎部
１１ｅ  ：上案内レール
１１ｆ  ：上案内レール
１２    ：既設下枠
１２ａ  ：既設下枠本体
１２ｂ  ：室内側壁
１２ｃ  ：顎部
１２ｄ  ：前壁部
１２ｅ  ：下案内レール
１２ｆ  ：下案内レール
１３    ：既設左縦枠
１３ａ  ：既設左縦枠本体
１３ｂ  ：室内側壁
１３ｃ  ：顎部
１３ｄ  ：室外側壁
１４    ：既設右縦枠
１４ｂ  ：室内側壁
２      ：捨て枠
２１    ：上捨て枠
２１ａ  ：見込み面部
２１ｂ  ：室内側係止壁部
２１ｃ  ：室外側係止壁部
２２    ：下捨て枠
２２１  ：支持部材
２２２  ：載置面部材
２３    ：左縦捨て枠
２３ａ  ：見込み面部
２３ｂ  ：室内側係止壁部
２３ｃ  ：室外側係止壁部
２４    ：縦捨て枠
３      ：新設枠体
３１    ：新設上枠
３１ａ  ：新設上枠本体
３１ｂ  ：室内側壁
３１ｃ  ：屈曲壁
３１ｄ  ：中央垂下壁
３１ｅ  ：外案内レール
３１ｆ  ：網戸レール
３１ｇ  ：突条部
３１ｈ  ：突条部
３１ｉ  ：ポケット部
３２    ：新設下枠
３２ａ  ：新設下枠本体
３２ｂ  ：室内側壁
３２ｃ  ：前壁部
３２ｄ  ：内レール
３２ｅ  ：外レール
３２ｆ  ：網戸下レール
３２ｇ  ：気密材保持壁
３３    ：新設左縦枠
３３ａ  ：新設左縦枠本体
３３ｂ  ：室内側壁
３３ｃ  ：室内側見込み壁
３３ｄ  ：室外側壁
３３ｅ  ：中央壁
３３ｆ  ：突条部
３３ｇ  ：突条部
３４    ：新設縦枠
４２    ：顎部材
５１〜５６    ：加熱膨張材
６１〜６６    ：加熱膨張材
７１，７３    ：ヒレ状部材
８１〜８３    ：気密テープ
９１，９３    ：スペーサ
【図１】
2018035547.tif 000003
【図２】
2018035547.tif 000004
【図３】
2018035547.tif 000005
【図４】
2018035547.tif 000006
【図５】
2018035547.tif 000007
【図６】
2018035547.tif 000008
【図７】
2018035547.tif 000009
【図８】
2018035547.tif 000010
【図９】
2018035547.tif 000011
【図１０】
2018035547.tif 000012
【図１１】
2018035547.tif 000013
【図１２】
2018035547.tif 000014
【図１３】
2018035547.tif 000015
【図１４】
2018035547.tif 000016
【図１５】
2018035547.tif 000017